(57)【特許請求の範囲】
【請求項１】
商品を管理する商品管理装置において、
ソートする商品の項目および関連する項目を指定する手段と、
上記指定されたソートする商品の項目のデータを昇順および降順にソートする手段と、
画面を左右または上下の分割方向に分割することにより２つの表示領域を生成し、上記分割された表示領域の一方の領域に昇順データを上記分割方向とは直交する方向で昇順になるように配置すると共に該配置された商品の項目のデータと関連する項目のデータを上記分割方向に隣接して配置し、上記分割された表示領域の他方の領域に降順データを上記分割方向とは直交する方向で降順になるように配置すると共に該配置された商品の項目のデータと関連する項目のデータを上記分割方向に隣接して配置する手段と
を備えたことを特徴とする商品管理装置。
【請求項２】
上記ソートされた後の昇順データと降順データと上記指定された関連するデータとを画面の左右あるいは上下の分割方向に分割した２つの表示領域にそれぞれ配置する、雛形のテンプレートを設け、当該テンプレートに上記昇順データと降順データと関連するデータとを配置することを特徴とする請求項１記載の商品管理装置。
【請求項３】
ソートする商品の項目と関連する項目、およびソートした昇順データと降順データと関連する項目のデータとを対応づけた配置を定義するテンプレート、を指定する特定キーを設け、
当該特定キーが押下されたときに該当テンプレートに昇順データ、降順データおよび関連する項目のデータを配置することを特徴とする請求項１あるいは請求項２記載の商品管理装置。
【請求項４】
コンピュータを、
ソートする商品の項目および関連する項目を指定する手段と、
上記指定されたソートする商品の項目のデータを昇順および降順にソートする手段と、
画面を左右または上下の分割方向に分割することにより２つの表示領域を生成し、上記分割された表示領域の一方の領域に昇順データを上記分割方向とは直交する方向で昇順になるように配置すると共に該配置された商品の項目のデータと関連する項目のデータを上記分割方向に隣接して配置し、上記分割された表示領域の他方の領域に降順データを上記分割方向とは直交する方向で降順になるように配置すると共に該配置された商品の項目のデータと関連する項目のデータを上記分割方向に隣接して配置する手段と
して機能させるプログラムを記録したコンピュータ読取可能な記録媒体。
【発明の詳細な説明】
【０００１】
【産業上の利用分野】
本発明は、商品を管理する商品管理装置および記録媒体に関するものである。
【０００２】
【従来の技術】
従来、商品の在庫量などを表示する場合、店舗別実績マスタ中の各店舗毎の在庫量を昇順あるいは降順のいずれか一方にソートした後、昇順あるいは降順に店舗名とその在庫量を表示し、管理者が店舗別の在庫管理の参考にするようにしていた。
【０００３】
【発明が解決しようとする課題】
このため、複数の店舗のうち、在庫量の多い順にソートして店舗および在庫量を昇順に並べて表示し、在庫量の多い店舗を管理者は認識できるが、しかし、在庫量の多い店舗から在庫量の少ない店舗へ、返却のきかいない商品の転送をすればよいとは限らないという問題があった。例えば売上の多い店舗は在庫量も多くても適正であり、これら専門的な熟練した知識をもとに商品の転送元および転送先を決定する必要があり、簡単に転送元および転送先を決定し得ないなどの問題があった。
【０００４】
本発明は、これらの問題を解決するため、マスタ中の指定されたデータを昇順および降順にソートした後、テンプレート上にソートした昇順および降順のデータと関連するデータとを画面上に合わせて同時に関連づけて表示／印刷し、在庫量の移動などの商品管理を適切に行ない易くすることを目的としている。
【０００５】
【課題を解決するための手段】
図１を参照して課題を解決するための手段を説明する。
図１において、クライアント１は、ＬＡＮを介してサーバ１１と接続し各種処理を行なうものであって、ここでは、条件設定手段２、ソート手段３、編集手段４、表示手段５などから構成されるものである。
【０００６】
条件設定手段２は、ソートする条件（ソートする商品の項目、関連づけて配置する項目、表示するときのテンプレートの指定などの条件）を設定するものである。
【０００７】
ソート手段３は、商品の指定された項目のデータを昇順および降順にソートするものである。
編集手段４は、昇順データ、降順データ、関連する項目のデータを画面の左右あるいは上下に分けて配置などするものである。
【０００８】
表示手段５は、編集手段４によって編集された後の画面を表示するものである。
次に、動作を説明する。
【０００９】
条件設定手段２がソートする商品の項目および関連する項目を設定（指定）し、ソート手段３が指定されたソートする商品の項目のデータを昇順および降順にソートし、編集手段４がソートされた後の昇順データと降順データおよび指定された関連するデータを画面の左右あるいは上下の半分にそれぞれ配置し、表示手段５が配置された後の画面を表示するようにしている。
【００１０】
この際、ソートされた後の昇順データと降順データと指定された関連するデータとを画面の左右あるいは上下の半分にそれぞれ配置する、雛型のテンプレート１３を予め作成しておき、テンプレート１３に昇順データと降順データと関連するデータとを配置して表示するようにしている。
【００１１】
また、ソートする商品の項目と関連する項目、およびソートした昇順データと降順データと関連する項目のデータ、を対応づけた配置を定義するテンプレート、を指定する特定キーを入力装置７に設け、入力装置７中の特定キーが押下されたときに該当テンプレート１３に昇順データ、降順データおよび関連する項目のデータを配置して表示するようにしている。
【００１２】
また、昇順にソートおよび降順にソートする商品の項目を異ならせるようにしている。
従って、マスタ中の指定されたデータを昇順および降順にソートした後、テンプレート１３上にソートした昇順および降順のデータと関連するデータとを画面上に合わせて同時に関連づけて表示／印刷することにより、在庫量の移動などの商品管理を適切に行ない易くすることが可能となる。
【００１３】
【実施例】
次に、図１から図５を用いて本発明の実施の形態および動作を順次詳細に説明する。
【００１４】
図１は、本発明のシステム構成図を示す。
図１において、クライアント１は、ＬＡＮを介してサーバ１１と接続し、図示外の記録媒体から読み出したプログラムを主記憶にローディングして起動し以下に説明する各種処理を実行するものであって、ここでは、条件設定手段２、ソート手段３、編集手段４、表示手段５などから構成されるものである。
【００１５】
条件設定手段２は、ソートする条件（ソートする商品の項目、関連づけて配置する項目、表示するときのテンプレートの指定などの条件）を設定するものである（図２を用いて後述する）。
【００１６】
ソート手段３は、商品の指定された項目のデータを昇順および降順にソートするものである（図２を用いて後述する）。
編集手段４は、昇順データ、降順データ、関連する項目のデータを画面の左右あるいは上下に分けて配置などするものである（図４、図５を用いて後述する）。
【００１７】
表示手段５は、編集手段４によって編集された後の画面を表示するものである（図５を用いて後述する）。
表示装置６は、左右あるいは上下に分けて昇順データと関連データ、および降順データと関連データをそれぞれ対応付けて順番に配置した画面などを表示するものである。
【００１８】
入力装置７は、データや各種指示を入力するものであって、ここでは、特定キーを設けたキーボードなどである。特定キーは、例えばファンクションキーＦ１からＦ１２などのうちの空のキーを本実施例の特定キーとして割り当てる。例えば特定キー１に対応づけて後述する図４に示すソート項目は「売上数量」、隣接して表示する関連項目は「在庫数量」と定義、およびテンプレートを図４のように定義すると、当該特定キー１を押下するのみで、自動的に後述する図３の昇順ソートおよび降順ソートし、図４のテンプレート上に配置し、図５に示すように表示装置６の画面上に表示させることが可能となる。
【００１９】
サーバ１１は、ＬＡＮに接続してデータなどを集中管理するものであって、ここでは、店舗別実績マスタ１２および表示用テンプレート１３を登録して管理するものである。
【００２０】
店舗別実績マスタ１２は、複数の店舗別に商品毎の売上実績、在庫数量、消化率などを登録して一括管理するものである。
表示用テンプレート１３は、昇順ソートおよび降順ソートしたデータ、関連データを画面の左右あるいは上下に配置して表示するための雛型である（図４を用いて後述する）。
【００２１】
次に、図２のフローチャートの順番に従い図１の構成の動作を詳細に説明する。
図２は、本発明の動作説明フローチャートを示す。
【００２２】
図２において、Ｓ１は、各種キーの指定を行う。これは、ソートする対象のデータ（例えば店舗別の商品の管理データのうちのソートする対象の項目）およびソート後のデータを表示する雛型のテンプレートなどを指定する。
【００２３】
Ｓ２は、データの読み込みを行う。これは、Ｓ１で指定されたデータ、例えば店舗別の管理データ（売上、在庫、消化率などのデータ）をサーバ１１から読み込む。
【００２４】
Ｓ３は、昇順でソートする。これは、Ｓ２で読み込んだデータの指定された項目例えば店舗別の管理データのうちの売上金額で昇順にソートする。
Ｓ４は、メモリ１に編集する。これは、Ｓ３で昇順ソートした後のデータを作業域のメモリ１に格納する。
【００２５】
Ｓ５は、メモリ１のデータから降順でソートする。これは、Ｓ４でメモリ１に格納した昇順のデータを読み出して、降順にソートする。
Ｓ６は、メモリ２に編集する。これは、Ｓ５で降順にソートしたデータをメモリ２に格納する。
【００２６】
Ｓ７は、事前に設定されたテンプレートに従いメモリ１，２より画面データの編集を行う。これは、メモリ１に格納した昇順のデータおよびメモリ２に格納した降順のデータをそれぞれ読み出してテンプレート上の該当する位置に順に格納して画面データを作成（編集）する。この際、指定された関連データを隣接して配置する。
【００２７】
Ｓ８は、Ｓ７で作成した画面データを表示装置６上に表示する。これにより、例えば図５に示すように、左半分に売上の昇順データと関連データとして在庫量、右半分に売上の降順データと関連データとして在庫量をそれぞれ順番に表示し、売上が小で在庫が多い（極多い）Ｆ店から、売上が大で在庫が極小のＡ店に、返品のきかない商品などを転送（移動）することが最適と１目で認識することが可能となる。
【００２８】
以上のように、特定キーを選択してデータとソートする項目、更に関連データを指定することで、自動的に指定されたデータ中の項目で昇順ソートおよび降順ソートした後、指定されたテンプレート上に昇順データと指定された関連データ、および降順データと指定された関連データを左右に対応づけて例えば図５に示すように表示することが可能となる。
【００２９】
図３は、本発明のソート説明図を示す。
図３の（ａ）は、９９年ＡＷ（実データ）の例を示す。これは、図１のサーバ１が管理する店舗別実績データの例であって、９９年の秋冬の店舗別の実績データ（売上金額、在庫量、消化率などの実績データ）を模式的に表したものである。
【００３０】
図３の（ｂ）は、図３の（ａ）の９９年ＡＷ（実データ）中の売上で昇順ソートした後の状態を模式的に示す。ここでは、既述した図２のＳ１で指定された図３の（ａ）の９９年ＡＷ（実データ）について、指定された項目である「売上」で昇順にソート（小さい順にソート）した後の状態を示す。
【００３１】
図３の（ｃ）は、図３の（ｂ）（あるいは図３の（ａ））の９９年ＡＷ（実データ）中の売上で降順ソートした後の状態を模式的に示す。ここでは、既述した図２のＳ１で指定された図３の（ａ）の９９年ＡＷ（実データ）について、指定された項目である「売上」で降順にソート（大きい順にソート）した後の状態を示す。
【００３２】
以上のように、指定されたデータ（９９年ＡＷ（実データ））中の指定された項目（ここでは、売上）で昇順にソートおよび指定された項目（ここでは、売上であるが、昇順のソート対象と異なる項目を指定してもよい）で降順にソートし、テンプレートに配置して画面データを作成する準備が完了したこととなる。
【００３３】
図４は、本発明のテンプレート説明図を示す。
図４の（ａ）は、項目定義の例を示す。ここでは、図４の（ｂ）のテンプレートに配置する項目を記号で定義した例を示す。図示の下記のように、定義する。
【００３４】
記号    定義内容
Ｆ０    店名
Ｆ１    売上（売上数量）
Ｆ２    売上（売上金額）
Ｆ３    在庫（在庫数量）
Ｆ４    消化率
・・・
ＦＮ    達成率
図４の（ｂ）は、テンプレート（表示用）を示す。このテンプレートは、図示の下記の項目を、昇順ソートしたデータおよび降順ソートしたデータをそれぞれ対応づけて順番に配置したものであって、図示の下記のように配置する。
【００３５】
0003923692.tif 000002
ここで、左側半分は画面の左側半分に表示し、右側半分は画面の右側半分に表示し、例えば後述する図５に示すように表示する。
【００３６】
以上のように、定義したテンプレートを用意し、図３で説明したように、指定されたデータの項目で昇順ソートおよび降順ソートした後に当該指定されたテンプレートの左側半分に昇順データ（ここでは、Ｆ１の売上数量）と隣接して関連データ（ここでは、Ｆ３の在庫数量）を順番に配置、および右側半分に降順データ（ここでは、Ｆ１の売上数量）と隣接して関連データ（ここでは、Ｆ３の在庫数量）を順番に配置し、図５に示すように表示／印刷することが可能となる。
【００３７】
図５は、本発明の表示／印刷例を示す。これは、既述した図３の（ｂ）の昇順ソートしたデータ（Ｆ１の売上数量）および図３の（ｃ）の降順ソートしたデータ（Ｆ１の売上数量）を、図４の（ｂ）のテンプレートの左側および右側に配置すると共に関連データ（Ｆ３の在庫数量）を隣接して配置し、画面上に表示、あるいは印刷したイメージを示す。このような売上数量の昇順と関連データの在庫数量と、売上数量の降順と関連データの在庫数量を図示のように並べて表示することにより、売上数量が小で在庫数量が多い（極多）Ｆ店から、売上数量が大で在庫数量が極小のＡ店に図示の矢印のように、特に返品のきかない商品などを転送（移動）することが、この例では最適な在庫管理と容易に、管理者は認識することが可能となる。
【００３８】
尚、上記例は、アパレル業界でプロパー消化率向上の目的で販売力のない店舗から販売力のある店舗への商品移動を実施することがある。この意思決定を行う場合、各店舗の売上数量（あるいは売上金額）と在庫数量を一覧で見ることができると大変有効である。これは、売上数量の多い店舗はある程度在庫があっても適切である。しかし、売上数量の少ない店舗は在庫が小が最適であるという経験則をもとに、図５の例では「売上数量／売上金額」の昇順にしたものとこれに関連する関連データとして「在庫数量」を隣接して並べて図示のように左側に配置し、同様に、降順のものを右側に並べて図示のように表示／印刷したものである。このように表示／印刷することにより、右側半分の上程、左側半分の上程に商品移動をする可能性が高いようになる。この際、売上数量／売上金額が同一の場合には、関連データで降順／昇順（図５の場合には、左側の関連データ「在庫数量」を降順、右側の関連データ「在庫数量」を昇順）に並べて表示する。
【００３９】
【発明の効果】
以上説明したように、本発明によれば、マスタ中の指定されたデータを昇順および降順にソートした後、ソートした昇順および降順のデータと関連するデータとを画面上に合わせて同時に関連づけて表示／印刷する構成を採用しているため、商品の在庫量の移動などの商品管理を適切に行ない易く表示／印刷することが可能となる。
【図面の簡単な説明】
【図１】本発明のシステム構成図である。
【図２】本発明の動作説明フローチャートである。
【図３】本発明のソート説明図である。
【図４】本発明のテンプレート説明図である。
【図５】本発明の表示／印刷例である。
【符号の説明】
１：クライアント
２：条件設定手段
３：ソート手段
４：編集手段
５：表示手段
６：表示装置
７：入力装置
１１：サーバ
１２：店舗別実績マスタ
１３：表示用テンプレート
【図１】
0003923692.tif 000003
【図２】
0003923692.tif 000004
【図３】
0003923692.tif 000005
【図４】
0003923692.tif 000006
【図５】
0003923692.tif 000007